(57)【要約】【課題】  需要者の興味を引いて葉書の使用される可能性を高めた、書籍、冊子などへの綴じ込み用葉書用紙を提供する。【課題の解決手段】  綴じ込み用葉書用紙１は、書籍、冊子などに綴じ込むための綴じ代４を有する綴じ込み片３と、スリット６，７で分離可能に区画形成した葉書部８とラベル部９を有し、綴じ込み片３に重ね合わせて剥離可能に接着した葉書片２とからなり、綴じ込み片３の葉書部８に被覆されている重ね合わせ面には、需要者の興味を引く各種の文字情報や図形情報を表示し、葉書部８の重ね合わせ面には、宛名情報を表示する一方、葉書部８の表出面には、葉書差出者が葉書受領者に伝達する一般情報を記入する一般情報記入部１５と、葉書差し出し時にラベル部９を剥離してなるラベルで被覆隠蔽する隠蔽情報を記入する隠蔽情報記入部１６とを設けたものである。【選択図】    図１
2005104015.tif 000002
【特許請求の範囲】
【請求項１】
書籍、冊子などに綴じ込むための綴じ代を有する綴じ込み片と、この綴じ込み片に重ね合わせて剥離可能に接着した葉書片とからなる綴じ込み用葉書用紙であって、前記綴じ込み片の前記葉書片に被覆されている重ね合わせ面には、各種の文字情報や図形情報を表示し、前記葉書片の重ね合わせ面には、宛名情報を表示する一方、前記葉書片の表出面には、葉書差出者が葉書受領者に伝達する一般情報の記入部を設けたことを特徴とする綴じ込み用葉書用紙。
【請求項２】
書籍、冊子などに綴じ込むための綴じ代を有する綴じ込み片と、分離可能に区画形成した葉書部とラベル部を有し、前記綴じ込み片に重ね合わせて少なくとも前記葉書部及び前記ラベル部は前記綴じ込み片に剥離可能に接着した葉書片とからなる綴じ込み用葉書用紙であって、前記綴じ込み片の前記葉書部に被覆されている重ね合わせ面には、各種の文字情報や図形情報を表示し、前記葉書部の重ね合わせ面には、宛名情報を表示する一方、前記葉書部の表出面には、葉書差出者が葉書受領者に伝達する一般情報を記入する一般情報記入部と、葉書差し出し時に前記ラベル部で被覆隠蔽する隠蔽情報を記入する隠蔽情報記入部とを設けたことを特徴とする綴じ込み用葉書用紙。
【発明の詳細な説明】
【技術分野】
【０００１】
本発明は、書籍、冊子などに綴じ込んで、当該書籍や冊子に掲載された商品の注文やアンケートの回答に使用する綴じ込み用葉書用紙に関する。
【背景技術】
【０００２】
従来から書籍、冊子などに綴じ込んで使用する葉書用紙は知られているが、これら従来の葉書用紙は、葉書として機能する葉書部のみで構成したり、葉書部に説明文や案内文を表示した表示部を付加して構成した、１枚の用紙からなるのが一般的である。
【特許文献１】特開平６−２４７０８２号公報
【発明の開示】
【発明が解決しようとする課題】
【０００３】
このため、従来の葉書用紙は、通常の官製葉書が綴じ込まれているのと変わりないので、需要者の興味を引きつけることができず、使用されずに放置されることが多かった。本発明は、この不都合を解消して、需要者の興味を引いて使用される可能性を高めた、書籍、冊子などへの綴じ込み用葉書用紙を提供することを目的とする。
【課題を解決するための手段】
【０００４】
この目的を達成するため、本発明の請求項１に係る綴じ込み用葉書用紙は、書籍、冊子などに綴じ込むための綴じ代を有する綴じ込み片と、この綴じ込み片に重ね合わせて剥離可能に接着した葉書片とからなる綴じ込み用葉書用紙であって、前記綴じ込み片の前記葉書片に被覆されている重ね合わせ面には、需要者の興味を引くクイズやプレゼントなどに関する各種の文字情報や図形情報を表示し、前記葉書片の重ね合わせ面には、宛名情報を表示する一方、前記葉書片の表出面には、葉書差出者が葉書受領者に伝達する、商品注文やアンケート回答などの一般情報の記入部を設けたものである。
【０００５】
同じく上記目的を達成するために、本発明の請求項２に係る綴じ込み用葉書用紙は、書籍、冊子などに綴じ込むための綴じ代を有する綴じ込み片と、分離可能に区画形成した葉書部とラベル部を有し、前記綴じ込み片に重ね合わせて少なくとも前記葉書部及び前記ラベル部は前記綴じ込み片に剥離可能に接着した葉書片とからなる綴じ込み用葉書用紙であって、前記綴じ込み片の前記葉書部に被覆されている重ね合わせ面には、需要者の興味を引くクイズやプレゼントなどに関する各種の文字情報や図形情報を表示し、前記葉書部の重ね合わせ面には、宛名情報を表示する一方、前記葉書部の表出面には、葉書差出者が葉書受領者に伝達する、商品注文やアンケート回答などの一般情報を記入する一般情報記入部と、葉書差し出し時に前記ラベル部で被覆隠蔽する、差出人の個人情報などの隠蔽情報を記入する隠蔽情報記入部とを設けたものである。
【発明の効果】
【０００６】
本発明の請求項１に係る綴じ込み用葉書用紙によれば、１枚の用紙のように単純な構成ではなく、葉書片を綴じ込み片に剥離可能に接着した構成なので、需要者の興味を引き、使用される可能性が向上するという効果を奏する。
【０００７】
本発明の請求項２に係る綴じ込み用葉書用紙によれば、１枚の用紙のように単純な構成ではなく、葉書片に葉書部とラベル部を分離可能に区画形成して綴じ込み片に剥離可能に接着した構成なので、需要者の興味を引き、使用される可能性が向上し、また、ラベル部を利用して隠蔽情報を被覆隠蔽した状態で葉書の差し出しが可能になるので、プライバシーの保護ができ、葉書としての用途も拡大するという効果を奏する。
【発明を実施するための最良の形態】
【０００８】
以下、本発明を商品注文葉書に適用した場合の好適な実施形態を添付図面に基づいて説明する。ここにおいて、図１は綴じ込み用葉書用紙の葉書片側を示す平面図、図２は同じく綴じ込み片側を示す平面図、図３は図１のＡ−Ａ線断面図、図４は同じくＢ−Ｂ断面図、図５は葉書部及びラベル部を剥離した葉書片側を示す綴じ込み用葉書用紙の平面図、図６は葉書の宛名面側を示す平面図、図７は同じく情報記入面側を示す平面図である。
【０００９】
図１〜図３に示すように、綴じ込み用葉書用紙１は、二つ折りして重ね合わせ、接着後に剥離可能な接着剤５によって剥離可能に疑似接着した葉書片２と綴じ込み片３とからなる。そして、前記綴じ込み片３の反折り部端は葉書片２から突出して書籍、冊子などに綴じ込むための綴じ代４を形成している。
【００１０】
図１，図３及び図４に示すように、葉書片２にはそれぞれスリット６，７で分離可能に区画形成した葉書部８とラベル部９を設け、前記ラベル部９と綴じ込み片３の重ね合わせ面は、図４で理解できるように、前記綴じ込み片３側には前記ラベル部９より広い範囲に剥離剤１０を塗布する一方、前記ラベル部９側には接着と剥離を繰り返し可能な再剥離性の粘着剤１１を塗布している。なお、図４では明らかでないが、前記剥離剤１０は接着剤５の上から重ねて塗布したものである。
【００１１】
図１で明らかなように、葉書部８を分離可能に区画形成するスリット６は下端縁の中央部で円弧状に膨らんで、摘み１２を形成している。この摘み１２は葉書部８を剥離した後は不要となるもので、切り用ミシン目１３を破断して除去される。前記葉書部８の表出面には、「商品注文書」なる表題１４の下に、商品番号、サイズ、数量、価格を記入する注文商品記入欄１５を印刷し、また、注文者の住所、氏名、電話番号、抽選番号を記入する住所氏名記入欄１６を印刷している。前記注文商品記入欄１５が一般情報記入部を構成し、前記住所氏名記入欄１６が隠蔽情報記入部を構成するもので、前記住所氏名記入欄１６はラベル部９よりも一回り大きく形成している。
【００１２】
同じく図１に示すように、ラベル部９の表出面には、「ハガキを出すときにはこのラベルをはがしてハガキの住所氏名記入欄を覆うようにはって下さい」との注意文１７を印刷してある。また、ラベル部９のスリット７の一部を延出して下端縁に至るとともに、この延出部分に向けた矢印と「ここを折って下さい」という文からなる、剥離開始端指示表示１８を印刷してある。さらに、葉書部９の摘み１２に向けた矢印と「ここを摘み上げて下さい」という文からなる、剥離開始部指示表示１９を印刷してある。
【００１３】
一方、図２に示すように、綴じ込み片３の表出面には、葉書部８を用いた商品注文方法等に関する案内文２０を「ご案内」という表題２１の下に印刷している。また、図５で理解できるように、綴じ込み片３の葉書部８に被覆されている重ね合わせ面には、住所氏名記入欄１６に記入する抽選番号を明記した旅行プレゼントの案内文２２を印刷してある。また、図６で理解できるように、前記葉書部８の重ね合わせ面には、宛名情報２３を印刷してある。
【００１４】
上述のように構成した綴じ込み用葉書用紙１は、綴じ込み片３の綴じ代４において、書籍や冊子などに綴じ込まれる。この綴じ込みは分離可能でもよいし、分離不能でもよい。ここで、この綴じ込み用葉書用紙１を綴じ込んだ書籍や冊子などの入手者が、商品を注文する手順の一例を説明する。まず、書籍、冊子に掲載された商品情報から希望商品を選択し、前記綴じ込み用葉書用紙１の葉書部８の注文商品記入欄１５に、希望商品の商品番号、サイズ、数量、価格を記入するとともに、住所氏名記入欄１６に自己の住所、氏名、電話番号を記入する（図７参照）。この際、前記綴じ込み用葉書用紙１は、単純な一枚の葉書用紙ではなく、葉書片２に葉書部８とラベル部９とが、それぞれスリット６，７で分離可能に区画形成されているので、需要者の興味を引くものとなっている。
【００１５】
次いで、剥離開始部指示表示１９にしたがって、摘み１２を摘み上げると葉書部８が徐々に捲り上がって、綴じ込み片４から剥離し、案内文２２が露出する（図５参照）。この案内文２２が露出することで、より一層需要者の興味を引くことになる。剥離した葉書部８は、切り用ミシン目１３を破断して摘み１２を除去することで葉書８ａ（図６、図７参照）とする一方、露出した前記案内文２２にしたがって、「Ａ１２３４ＸＹ」という抽選番号を住所氏名記入欄１６に記入した後、ラベル部９の注意文１７及び剥離開始端指示表示１８にしたがい、スリット７の延出部分を折り曲げて浮き上がった端部からラベル部９を剥離して形成したラベル９ａを、住所氏名記入欄１６を覆うようにして葉書８ａに接着する。
【００１６】
これによって、あらかじめ宛名情報を印刷してある葉書８ａは図６及び図７に示す投函可能状態になる。この状態で、葉書８ａの住所氏名記入欄１６に記入した、商品注文者の個人情報である住所、氏名、電話番号は、抽選番号とともにラベル９ａで被覆隠蔽され、葉書８ａの郵送中に他人の目に触れることがなく、プライバシーが保護される。前記ラベル９ａの裏面の粘着剤１１は再剥離性であるから、葉書８ａの受領者は、前記ラベル９ａを剥離して、住所氏名記入欄１６の各記入事項を確認できる。
【００１７】
なお、本発明は上述の実施形態に限定されるものではなく、例えば、葉書片２と綴じ込み片３の重ね合わせは、折り重ねのほか、切り重ねや、別体の重ね合わせでもよい。また、葉書部８やラベル部９の剥離開始動作を容易にするための構成は、摘み１２やスリット７を端縁まで延出するものに限らない。さらに、葉書部８を剥離して露出する需要者の興味を引く情報はプレゼントの案内文２２に限らない。さらにまた、本発明の用途が商品注文葉書に限らないことはもちろんである。
【図面の簡単な説明】
【００１８】
【図１】綴じ込み用葉書用紙の葉書片側を示す平面図。
【図２】綴じ込み用葉書用紙の綴じ込み片側を示す平面図。
【図３】図１のＡ−Ａ線断面図。
【図４】図１のＢ−Ｂ断面図。
【図５】葉書部及びラベル部を剥離した葉書片側を示す綴じ込み用葉書用紙の平面図。
【図６】葉書の宛名面側を示す平面図。
【図７】葉書の情報記入面側を示す平面図。
【符号の説明】
【００１９】
１      綴じ込み用葉書用紙
２      葉書片
３      綴じ込み片
４      綴じ代
５      接着剤
６，７      スリット
８      葉書部
９      ラベル部
１０      剥離剤
１１      粘着剤
１２      摘み
１３      切り用ミシン目
１５      注文商品記入欄
１６      住所氏名記入欄
２２      案内文
８ａ      葉書
９ａ      ラベル
【図１】
2005104015.tif 000003
【図２】
2005104015.tif 000004
【図３】
2005104015.tif 000005
【図４】
2005104015.tif 000006
【図５】
2005104015.tif 000007
【図６】
2005104015.tif 000008
【図７】
2005104015.tif 000009